【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
グラフィクスストリーム及び動画ストリームが記録されている記録媒体であって、 グラフィクスストリームは、1つ以上の対話制御セグメントと、グラフィクスオブジェクトを定義するオブジェクト定義セグメントとを含み、 対話制御セグメントは、複数のページ情報と、時間情報とを含み、   複数のページ情報は、マルチページメニューの画面構成を規定する情報であり、各ページ情報は、1つ以上のボタン情報を含み、各ボタン情報は、グラフィクスオブジェクトをボタン部材の一状態として表示させることにより、マルチページメニューを構成する各ページ上で対話的な画面構成を実現する情報であり、 前記マルチページメニューの表示状態には、 ノーメニュー状態、ファーストページオンリーの状態、マルチページが存在する状態の3つがあり、 前記時間情報は、動画ストリームの再生進行に伴って、マルチページメニューの表示状態を遷移させるための情報である  ことを特徴とする記録媒体。
【請求項２】
前記時間情報は、タイムアウト情報であり、 前記タイムアウト情報は、ファーストページ内に存在するボタン部材のうち、セレクテッド状態になっているものを自動的にアクティベートさせることで、ファーストページオンリーの状態からマルチページ状態への遷移を行わせる時刻を示す  ことを特徴とする請求項１記載の記録媒体。
【請求項３】
前記対話制御セグメントは、ユーザインターフェイスモデル情報を含み、 前記ユーザインターフェイスモデル情報が、Always-Onモデルを示している場合、ノーメニュー状態からファーストページオンリーの状態への遷移は、対話制御セグメントを格納したパケットのタイムスタンプにて示される時点になされ、 ユーザインターフェイスモデルが、Pop-upモデルを示している場合、 ノーメニュー状態からファーストページオンリーの状態への遷移、及び、少なくとも1つのページを表示している状態からノーメニュー状態への遷移は、ユーザによる操作でなされる  ことを特徴とする請求項１記載の記録媒体。
【請求項４】
動画ストリーム及びグラフィクスストリームを再生する再生装置であって、  動画ストリームをデコードして、動画像を得るビデオデコーダと、  グラフィクスストリームをデコードして、ファーストページ及びセカンドページを得るグラフィクスデコーダとを含み、 グラフィクスストリームは、1つ以上の対話制御セグメントと、グラフィクスオブジェクトを定義するオブジェクト定義セグメントとを含み、 対話制御セグメントは、複数のページ情報と、時間情報とを含み、 複数のページ情報は、マルチページメニューの画面構成を規定する情報であり、各ページ情報は、1つ以上のボタン情報を含み、各ボタン情報は、グラフィクスオブジェクトをボタン部材の一状態として表示させることにより、マルチページメニューを構成する各ページ上で対話的な画面構成を実現する情報であり、 前記マルチページメニューの表示状態には、 ノーメニュー状態、ファーストページオンリーの状態、マルチページが存在する状態の3つがあり、 前記グラフィクスデコーダは、動画ストリームの再生進行に伴って、マルチページメニューの状態を遷移させる制御を、時間情報に基づき実行する  ことを特徴とする再生装置。
【請求項５】
ユーザインターフェイスモデル情報が、Always-Onモデルを示している場合、前記グラフィクスデコーダは、対話制御セグメントを格納したパケットのタイムスタンプにて示される時点に、ノーメニュー状態からファーストページオンリーの状態への遷移を行い、 ユーザインターフェイスモデルが、Pop-upモデルを示している場合、前記グラフィクスデコーダは、ユーザによる操作に従って、ノーメニュー状態からファーストページオンリーの状態への遷移、及び、ファーストページオンリーの状態からノーメニュー状態への遷移を行う ことを特徴とする請求項４記載の再生装置。
【請求項６】
記録媒体の記録方法であって、  アプリケーションデータを作成するステップと、  作成したデータを記録媒体に記録するステップとを有し、  前記アプリケーションデータは、動画ストリーム及びグラフィクスストリームを含み、  動画ストリームは、動画像を構成するストリームであり、 グラフィクスストリームは、1つ以上の対話制御セグメントと、グラフィクスオブジェクトを定義するオブジェクト定義セグメントとを含み、 対話制御セグメントは、複数のページ情報と、時間情報とを含み、   複数のページ情報は、マルチページメニューの画面構成を規定する情報であり、各ページ情報は、1つ以上のボタン情報を含み、各ボタン情報は、グラフィクスオブジェクトをボタン部材の一状態として表示させることにより、マルチページメニューを構成する各ページ上で対話的な画面構成を実現する情報であり、 前記マルチページメニューの表示状態には、 ノーメニュー状態、ファーストページオンリーの状態、マルチページが存在する状態の3つがあり、 前記時間情報は、動画ストリームの再生進行に伴って、マルチページメニューの表示状態を遷移させるための情報である  ことを特徴とする記録方法。
【請求項７】
動画ストリーム及びグラフィクスストリームの再生をコンピュータに実行させるプログラムであって、  動画ストリームをデコードして、動画像を得るステップと、  グラフィクスストリームをデコードして、動画像にマルチページメニューを合成するステップとを含み、  グラフィクスストリームをデコードして、ファーストページ及びセカンドページを得るステップとを含み、 グラフィクスストリームは、1つ以上の対話制御セグメントと、グラフィクスオブジェクトを定義するオブジェクト定義セグメントとを含み、 対話制御セグメントは、複数のページ情報と、時間情報とを含み、 複数のページ情報は、マルチページメニューの画面構成を規定する情報であり、各ページ情報は、1つ以上のボタン情報を含み、各ボタン情報は、グラフィクスオブジェクトをボタン部材の一状態として表示させることにより、マルチページメニューを構成する各ページ上で対話的な画面構成を実現する情報であり、 前記マルチページメニューの表示状態には、 ノーメニュー状態、ファーストページオンリーの状態、マルチページが存在する状態の3つがあり、 前記グラフィクスをデコードするステップは、動画ストリームの再生進行に伴って、マルチページメニューの状態を遷移させる制御を、時間情報に基づき、コンピュータに実行させることを特徴とするプログラム。
【請求項８】
動画ストリーム及びグラフィクスストリームの再生をコンピュータに実行させる再生方法であって、  動画ストリームをデコードして、動画像を得るステップと、  グラフィクスストリームをデコードして、ファーストページ及びセカンドページを得るステップとを含み、  グラフィクスストリームは、対話制御情報と、マルチページメニューにおける個々のページを構成するグラフィクスデータとを含み、 グラフィクスストリームは、1つ以上の対話制御セグメントと、グラフィクスオブジェクトを定義するオブジェクト定義セグメントとを含み、 対話制御セグメントは、複数のページ情報と、時間情報とを含み、 複数のページ情報は、マルチページメニューの画面構成を規定する情報であり、各ページ情報は、1つ以上のボタン情報を含み、各ボタン情報は、グラフィクスオブジェクトをボタン部材の一状態として表示させることにより、マルチページメニューを構成する各ページ上で対話的な画面構成を実現する情報であり、 前記マルチページメニューの表示状態には、 ノーメニュー状態、ファーストページオンリーの状態、マルチページが存在する状態の3つがあり、 前記グラフィクスをデコードするステップは、動画ストリームの再生進行に伴って、マルチページメニューの状態を遷移させる制御を、時間情報に基づき実行することを特徴とする再生方法。
【手続補正２】
【補正対象書類名】明細書
【補正対象項目名】０００５
【補正方法】変更
【補正の内容】
【０００５】  上記目的を達成するため、本発明にかかる記録媒体は、グラフィクスストリーム及び動画ストリームが記録されている記録媒体であって、グラフィクスストリームは、1つ以上の対話制御セグメントと、グラフィクスオブジェクトを定義するオブジェクト定義セグメントとを含み、 対話制御セグメントは、複数のページ情報と、時間情報とを含み、    複数のページ情報は、マルチページメニューの画面構成を規定する情報であり、各ページ情報は、1つ以上のボタン情報を含み、各ボタン情報は、グラフィクスオブジェクトをボタン部材の一状態として表示させることにより、マルチページメニューを構成する各ページ上で対話的な画面構成を実現する情報であり、 前記マルチページメニューの表示状態には、 ノーメニュー状態、ファーストページオンリーの状態、マルチページが存在する状態の3つがあり、 前記時間情報は、動画ストリームの再生進行に伴って、マルチページメニューの表示状態を遷移させるための情報であることを特徴とする記録媒体であることを特徴としている。
【手続補正３】
【補正対象書類名】明細書
【補正対象項目名】０００６
【補正方法】変更
【補正の内容】
【０００６】  上記記録媒体によれば、動画ストリームに多重化されたグラフィクスストリーム内の対話制御セグメントは、動画の再生進行に伴ったマルチページメニューの表示状態を規定する時間情報を含んでいるので、風景等が再生されているシーンにおいて、多くのページを表示させたり、クライマックスシーンまで再生が進行すれば、個々のページを消してゆくような再生制御が可能になる。かかる制御によりユーザによる本編内容の視聴は阻害されないので、マルチページメニューの利便性を享受しつつも、動画の視聴に専念することができる。
【手続補正４】
【補正対象書類名】明細書
【補正対象項目名】０００７
【補正方法】変更
【補正の内容】
【０００７】  またマルチページメニュー の表示のための情報はグラフィクスストリーム内に存在しており、動画ストリームと多重化されているので、ビデオストリームの読み出しを中断しなくても、マルチページメニューを表示するための情報を再生装置内に得ることができる。かかる読出中断がありえないので、動画の表示期間に同期した時間精度で、スムーズにマルチページメニューを挙動させることができる。